Podtech/llm-jp-corpus-v4-ja_patent huggingface dataset:
(57)【要約】【課題】  特殊部品を使用する事無く、また外部接点を小型にできる外部トリップ機能付配線用遮断器を提供する。【解決手段】  主電路３に設けた開閉接点４を開動作させるためのトリップコイル６と、零相変流器５と、零相変流器５の電流検知動作を受けてトリップコイル６を励磁する制御回路７を備え、零相変流器５は外部から電流を通電可能とした１本の外部制御線１０のみが挿通され、この外部制御線１０に通電操作することで制御回路７がトリップコイル６を励磁して主電路３を遮断する。【選択図】  図１
2008021462.tif 000002
【特許請求の範囲】
【請求項１】
電路に設けた開閉接点を開動作させるためのトリップコイルと、零相変流器と、当該零相変流器の電流検知作用を受けて前記トリップコイルを励磁する制御回路を備え、
前記零相変流器は外部から通電操作可能とした１本の外部制御線のみが挿通され、前記外部制御線に通電操作することで前記制御回路が前記トリップコイルを励磁して電路を遮断することを特徴とする外部トリップ機能付配線用遮断器。
【発明の詳細な説明】
【技術分野】
【０００１】
本発明は配線用遮断器に関し、特に外部トリップ機能を備えた配線用遮断器に関する。
【背景技術】
【０００２】
過電流が流れたら電路を遮断する配線用遮断器において、外部操作により強制的に遮断動作させることができる外部トリップ機能を備えた配線用遮断器がある。従来のこのような外部トリップ機能付配線用遮断器は図２のように構成されている。図２において、１５は電源側端子、１６は負荷側端子、１７は主接点  １８は引き外し用シャントコイル（トリップコイル）、１９は外部接点であり、外部接点１９を閉路させることによりシャントコイル１８を励磁して主接点１７を引き外すよう構成されていた（例えば、特許文献１参照）。
【０００３】
一方で、漏電が発生したら電路を遮断する図３に示すような漏電遮断器がある。図３において、２０は零相変流器、２１はテストボタン、２２はトリップコイル、２３は漏電が発生したらトリップコイル２２を励磁する制御回路であり、零相変流器２０が電路の零相電流を検知することで漏電を検出し、漏電が発生したら制御回路２３がトリップコイル２２に励磁電流を流して電路を遮断するよう構成されている。
【０００４】
【特許文献１】特開平７−２１１２２０号公報
【発明の開示】
【発明が解決しようとする課題】
【０００５】
しかし、外部トリップ機能を備えた配線用遮断器は、需要が少ない上に特殊部品である引き外し用シャントコイル等を追加する事になるため、製造に時間を要しコスト高となっていた。また、外部接点は大きな電流が流れるため十分な接点容量が必要であり、小型にすることができなかった。
そこで、本発明はこのような問題点に鑑み、特殊部品を使用する事無く、また外部接点を小型にできる外部トリップ機能付配線用遮断器を提供することを目的とする。
【課題を解決するための手段】
【０００６】
上記課題を解決する為に、請求項１の発明に係る外部トリップ機能付配線用遮断器は、路に設けた開閉接点を開動作させるためのトリップコイルと、零相変流器と、当該零相変流器の電流検知作用を受けて前記トリップコイルを励磁する制御回路を備え、前記零相変流器は外部から通電操作可能とした１本の外部制御線のみが挿通され、前記外部制御線に通電操作することで前記制御回路が前記トリップコイルを励磁して電路を遮断することを特徴とする。
この構成により、零相変流器、零相電流検出動作を受けてトリップコイルを励磁する制御回路を使用するので、漏電遮断器の構成部材を使用して外部トリップ機能付配線用遮断器を構成できる。
【発明の効果】
【０００７】
本発明によれば、漏電遮断器の構成部材を使用できるので特別な部材を使用する事無く外部トリップ機能付配線用遮断器を作製できる。また、零相電流程度の電流を外部から供給するだけでトリップコイルを励磁できるため、僅かな電流でしてトリップ動作させることができ、外部接点の電流容量を小さくできる。
【発明を実施するための最良の形態】
【０００８】
以下、本発明を具体化した実施の形態を、図面に基づいて詳細に説明する。図１は本発明に係る外部トリップ機能付配線用遮断器の一例を示す回路図であり、１は電源側端子、２は負荷側端子、３は主電路、４は開閉接点、５は零相変流器、６はトリップコイル、７は零相電流を検知してトリップコイル６に励磁電流を流す制御回路、８は外部から遮断操作するための外部接点である。
【０００９】
零相変流器５には、外部接点８が設けられ主電路３に接続された外部制御線１０が挿通され、外部接点８を閉操作することで擬似零相電流を流すよう構成されている。そして制御回路７は、零相変流器５に発生する僅かな電流（零相電流）を検知したらトリップコイル６を引き外し動作させるための励磁電流を流すよう制御する回路であり、上記図３に示す漏電遮断器の制御回路２３と同様の回路となっている。
このように、図１の回路を構成する部材は、上記図３に示す漏電遮断器の構成要素と同一の作用を奏するものであり、図３の零相変流器２０が主電路に装着されているのに対し、１本の外部制御線１０のみが挿通されている点が大きく異なっている程度である。
【００１０】
上記構成の遮断器は次のように動作する。先ず、主電路３に過電流が流れたら、熱動式等の引き外し装置が動作して電路は遮断される。そして、外部接点８が閉操作されたら外部制御線１０に電流が流れ、零相変流器５がその電流を検知して電流が発生する。この電流を制御回路７が検知してトリップコイル６を励磁する。その結果、トリップコイル６はトリップ動作して開閉接点４は開放される。こうして、主電路３は遮断される。
【００１１】
このように、漏電遮断器の構成部材である零相変流器、零相電流検出動作を受けてトリップコイルを励磁する制御回路を使用するので、特別な部材を使用する事無く外部トリップ機能付配線用遮断器を作製できる。また、零相電流程度の電流を外部から供給するだけでトリップコイルを励磁できるため、僅かな電流でトリップ動作させることができ、外部接点の電流容量を小さくでき小型なものが使用できる。
【００１２】
尚、外部トリップ機能付配線用遮断器の零相変流器５は、漏電遮断器で使用するものと同一のもので良いが、挿通される電線が外部制御線１０の１本だけであるので、更に小型なものが使用できる。また、漏電遮断器に組み込まれているテスト回路、テストボタン２１を使用して外部制御線１０及び外部接点８を構成しても良く、更に簡単な回路変更で漏電遮断器の構成から本発明の外部トリップ機能付配線用遮断器を構成することができる。
【図面の簡単な説明】
【００１３】
【図１】本発明に係る外部トリップ機能付配線用遮断器の実施形態の一例を示す回路図である。
【図２】従来の外部トリップ機能付配線用遮断器の回路図である。
【図３】漏電遮断器の回路図である。
【符号の説明】
【００１４】
３・・主電路、４・・開閉接点、５・・零相変流器、６・・トリップコイル、７・・制御回路、８・・外部接点、１０・・外部制御線。
【図１】
2008021462.tif 000003
【図２】
2008021462.tif 000004
【図３】
2008021462.tif 000005
(57)【要約】【課題】  ビールジョッキには様々な容積のものがあるため、目視だけでは、注がれたビールのカロリーを測定することは出来なかった。そこでジョッキの側面にビールのカロリーを容易に計るためのカロリー表示を設けた。【解決手段】  ビールジョッキ（１）の側面に目印（２）を設け、その量に該当するビールのカロリー表示（３）を設ける。カロリー表示（３）は文字や数字だけでなく、目印（２）の量のビールと同程度のカロリーを有する他の食物のイラスト（４）にて表示する方法も可能。【選択図】図１
2008024310.tif 000002
【特許請求の範囲】
【請求項１】
ビールジョッキ（１）の側面に目印（２）を設け、各目印（２）に対応した量のビールのカロリー表示（３）を設けるか、又は各目印（２）に対応した量のビールと同等のカロリーを有する他の食物のイラスト（４）を設けたビールジョッキ。
【発明の詳細な説明】
【技術分野】
【０００１】
本発明は、ジョッキ内に注いだビールのカロリー量を一目で把握できるカロリー表示が付けられたビールジョッキに関するものである。
【背景技術】
【０００２】
従来、ビールジョッキにおいて、ジョッキ中に注がれたビールのカロリーを把握できるような表示はなかった。
【発明の開示】
【発明が解決しようとする課題】
【０００３】
従来品には次のような欠点があった。
従来、ビールジョッキには様々な容積のものがあるため、目視しただけでは、注がれたビールのカロリーを即座に測定することは出来なかった。
【０００４】
健康管理の目的で、摂取カロリーを知りたい人にとって、飲んだビールのカロリー量が分からないことは不安の原因である上、健康管理の障害になっていた。
本発明は以上のような欠点をなくすためになされたものである。
【課題を解決するための手段】
【０００５】
ビールジョッキ（１）の側面に、ビールの量を計る目印（２）を設け、各目印に対応した量のビールに該当するカロリー表示（３）を文字や数字、又はイラスト（４）にて設ける。
本発明は、以上の構成よりなるカロリー表示付きビールジョッキである。
【発明の効果】
【０００６】
ビールジョッキ（１）に設けられた目印（２）及びカロリー表示（３）又はイラスト（４）で一目で、ジョッキ内のビールのカロリーが確認できるので、摂取カロリーを気にしながら飲む人には非常に便利。
【０００７】
従来、缶ビールや瓶ビールの本数から逆算していた場合であっても、複数人数で飲む場合は自分へ配分量がわからなかったが、自分のジョッキ（１）に目印（２）及びカロリー表示（３）又はイラスト（４）が付いているので容易に確認できる。
【発明を実施するための最良の形態】
【０００８】
以下、本発明を実施するための最良の形態について説明する。
ビールジョッキ（１）の側面に、ビールの量を計る目印（２）を設け、それに該当するカロリー表示（３）を設ける。カロリー表示（３）は、文字や数字にて表示する形態と、当該カロリーと同等のカロリー量を有する他の食物のイラスト（４）にて表示する形態がある。
【実施例１】
【０００９】
ビールジョッキ（１）の側面に、多角形又は任意の図形の目印（２）を設け、文字や数値によるカロリー表示（３）を設けた例。
【実施例２】
【００１０】
ビールジョッキ（１）の側面に、線による目印（２）を設け、文字や数値によるカロリー表示（３）を設けた例。
【実施例３】
【００１１】
ビールジョッキ（１）の側面に、目印（２）の量のビールと同程度のカロリーを有する他の食物のイラスト（４）を設けた例。
【産業上の利用可能性】
【００１２】
ダイエット中の人がビールを飲む場合、ビールによる摂取カロリー量を確認できる。
【００１３】
ビール会社が低カロリータイプのビールを販売する際に、販売促進用品として、販売又は景品とすることが出来る。
【００１４】
メニューへのカロリー表示を行っているレストラン等において、ジョッキに満たない量のビールであっても、カロリーを認識できる。
【図面の簡単な説明】
【００１５】
【図１】本発明の斜視図である。（実施例１）
【図２】本発明の斜視図である。（実施例２）
【図３】本発明の斜視図である。（実施例３）
【符号の説明】
【００１６】
１    ビールジョッキ
２    目印
３    カロリー表示
４    他の食物のイラスト
【図１】
2008024310.tif 000003
【図２】
2008024310.tif 000004
【図３】
2008024310.tif 000005
(57)【要約】      （修正有）【課題】ハンガーに掛けたクリーニング物を長時間保管しても、カビの発生とゴミ、ほこりかぶりを防止できる外装カバーを提供する。【解決手段】外装ポリカバーＡの途中にミシン目Ｂを設けて成る。ミシン目下を手で剥ぎ取ることにより、カビの発生とゴミ、ほこりかぶりを防止できるようにする。ミシン目を入れる位置はクリーニング商品によってゴミ、ホコリがかぶる部分を想定して、剥ぎ取った後、襟および肩部分を覆う大きさとなるように決定する。【選択図】図１
2008024373.tif 000002
【特許請求の範囲】
【請求項１】
外装ポリカバーの途中にミシン目を入れ、ミシン目下を手で剥ぎ取る。
【請求項２】
剥ぎ取った後、襟および肩部分を覆うように外装ポリカバーを残す。
【発明の詳細な説明】
【発明の詳細な説明】
【技術分野】
【０００１】本発明は、クリーニング店から引取ったハンガーに掛けたクリーニング物を長時間保管することによって発生する湿気、ゴミ、ホコリかぶりを防止するものである。
【背景技術】
【０００２】ハンガーに掛けたクリーニング物に外装ポリカバーを掛けたままで湿気、ゴミ、ホコリかぶりを防止しようとすると、内部のクリーニング物に湿気がこもりカビの発生の原因となる為、外装ポリカバーを外して保管するとゴミ、ホコリが襟および肩にかぶる。
【発明が解決しようとする課題】
【０００３】長時間保管する時に起こるカビの発生と、ゴミ、ホコリかぶりの防止を課題とする。
【課題を解決するための手段】
【０００４】上記課題を解決するために外装ポリカバーの途中の一定の部分にミシン目を入れてミシン目の下の部分を剥ぎ取れるようにする。
【発明を実施するための最良の形態】
【０００５】（イ）ミシン目を入れる位置は熱接着シールから一定の位置で固定する。
（ロ）熱接着シールと同時にミシン目を入れる。
【発明の効果】
【０００６】本発明は、上記のとおりに構成されるので次ぎの効果を奏する。
【０００７】請求項１は、ミシン目を入れることによって簡単に外装ポリカバーのミシン目より下の部分を剥ぎ取れる。
【０００８】請求項２は、外装ポリカバーの残った部分で襟、肩にゴミ、ホコリがかぶるのを防止するとともに湿気によりカビの発生を防止する。
【図面の簡単な説明】
【図１】ハンガーのクリーニング物にミシン目を入れた外装ポリカバーをかぶせたところ。
【図２】ミシン目の下の部分を手で剥ぎ取ったところ。
【符号の説明】
Ａ    クリーニング物を包んだ外装ポリカバー
Ｂ    ミシン目
Ｃ    熱接着シール
Ｄ    襟、肩にかぶるゴミ、ホコリがかぶるのを防ぐポリカバー（ミシン目の下の部分を剥ぎ取ったところ）
Ｅ    ハンガー
【図１】
2008024373.tif 000003
【図２】
2008024373.tif 000004
(57)【要約】【課題】世界各地で頻繁に起きる化石原油流出事故による環境汚染を原油分解液を散布・撹拌する事で容易に防止する発明である。【解決手段】本発明では植物性食用油に、メタノールと、水酸化ナトリウム及び希硫酸とを混入し、所定温度に保温しながら所定時間撹拌後、反応して沈殿した抽出液に、中和液を混入することにより原油分解液を製造し、本発明による原油分解液を原油流出事故で、海洋に流出した原油に、船舶等を介在して原油分解液を吹き付けることで公害拡大を防止することが可能になった。【選択図】図１
2008024906.tif 000002
【特許請求の範囲】
【請求項１】
植物性食用油に、メタノールと、水酸化ナトリウム及び希硫酸とを混入し、反応して沈殿した抽出液に、中和液を混入してなることを特徴とする原油分解液。
【請求項２】
植物性食用油に、メタノールと、水酸化ナトリウム及び希硫酸とを混入し、所定温度に保温しながら所定時間撹拌後、反応して沈殿した抽出液に、中和液を混入してなることを特徴とする請求項１に記載の原油分解液の製造方法。
【発明の詳細な説明】
【技術分野】
【０００１】本発明は原油流出事故発生時に速やかに原油を分解する原油分解液及び原油分解液の製造方法に関する。
【背景技術】
【０００２】従来の海洋・地表における原油汚染に対しては中和剤を散布するのみであったため汚染原油の分解ができず環境汚染が拡大していた。
【特許文献１】特開２００４−１１３８８４号公報「流出油の処理方法」
【発明の開示】
【発明が解決しようとする課題】
【０００３】原油流出事故が発生すると、これまでは中和剤を散布して原油を拡散させるだけで、原油を分解する事が出来ず重大な環境汚染が懸念され、この原油を分解し無公害化とすることが切望されていた。
【課題を解決するための手段】
【０００４】本発明では植物性食用油に、メタノールと、水酸化ナトリウム及び希硫酸とを混入し、所定温度に保温しながら所定時間撹拌後、反応して沈殿した抽出液に、中和液を混入することにより原油分解液を製造することができた。そこで、本発明による原油分解液を原油流出事故で、海洋に流出した原油に、船舶等を介在して原油分解液を吹き付けることで公害拡大を防止することが可能になった。
【発明の効果】
【０００５】本発明による原油分解液は、原油を分解し無公害化することができるので、従来懸念されていた、一度原油汚染事故が発生すると海洋及び地表において小動物の生存をおびやかし、地下水を汚染する等の不具合を回避できるようになった。また、従来は廃棄していた廃食用油を原油分解液の原料として有効に利用できるようになった。
【発明を実施するための最良の形態】
【０００６】流出原油は海洋にあっては、本発明に係る原油分解液を原油流出域に散布すると共に、船舶に搭載した撹拌装置で撹拌することにより、効率良く流出原油を無害化できた。また、陸上においてはこの原油分解液を、油流出箇所に散布し重機等で撹拌する事で無公害化物質へと変化させた。
【実施例】原油分解液の製造方法を図１を参照して以下説明する。更に、汚染原油の分解作業実施状況を図２、図３を用いて説明する。
図１において、図示省略の廃食用油２００ｌを廃食用油投入口４から廃食用油反応槽１内に投入し、更に薬品投入口５からメタノール２０ｌに対し、水酸化ナトリウム１ｋｇと希硫酸１００ｃｃを混ぜた液を入れて、これを撹拌用モーター２で撹拌ペラ３を回し、円形ヒーター６で５０℃に保ちながら、４０分間撹拌後、３０分沈殿させ、廃食用油反応槽１内の下部に沈殿した黒褐色の液体を開閉コック７を介し原油分解液用タンク１０へ排出し、沈殿した黒褐色の液体に、中和液貯水タンク９の中和液（酸性水）を混入して原油分解液を精製（製造）した。図１中の符号８は精製状態目視管を図示している。なお、本実施例では水酸化ナトリウムとして苛性ソーダを用いたが、生石灰を代わりに代用することも出来る。また、中和液の酸性水は水道水を電気分解して得た酸性イオン水を用いた。
図２は撹拌設備積載船舶１１が原油分解液貯蔵タンク１２から原油分解液噴射器１４を介して原油分解液噴霧ノズル１５から海面に流出した原油へ噴霧している状況を示す撹拌設備積載船舶の側面図である。図２中の符号１３は撹拌ブラシ回転用コンプレッサーを図示している。
図３は撹拌設備積載船舶１１が、流出原油を原油分解液を使っての撹拌状況を示す撹拌設備の配備状況を示す撹拌設備積載船舶の平面図である。図３中の符号１６は撹拌ブラシを図示している。
【産業上の利用可能性】
【０００８】本発明による原油分解液は、原油のみならず、灯油等の精製油やグリス油等に適用でき、原油分解液は原油流出事故発生時に備えて、消火艇等の船舶のみならず、原油や石油の備蓄基地や自衛隊基地、更には、海上保安庁など行政・石油関連企業規模で備蓄しておけば、各種油流失事故発生後に即応できる。
その他、重機・機会類及び厨房等の油性分の分解、洗浄に使用できる。また、ガソリンスタンド、石油精製コンビナート、各種工場の油性流出事故等、多岐にわたって事故解決に使用も出来る。
【図面の簡単な説明】
【０００９】
【図１】本発明に係る原油分解液を製造する過程を顕した製造装置の断面図である。
【図２】本発明に係る原油分解液で流出原油の分解状況を顕した側面図である。
【図３】本発明に係る原油分解液撹拌設備の配備状況を顕した平面図である。
【符号の説明】
【００１０】  １．廃食用油反応槽
２．撹拌用モーター
３．撹拌ペラ
４．廃食用油投入口
５．薬品投入口
６．円形ヒーター
７．開閉コック
８．精製状態目視管
９．中和液貯水タンク
１０．原油分解溶液用タンク
１１．撹拌設備積載船舶
１２．原油分解液貯蔵タンク
１３．撹拌ブラシ回転用コンプレッサー
１４．原油分解液噴射器
１５．原油分解液噴霧ノズル
１６．撹拌ブラシ
【図１】
2008024906.tif 000003
【図２】
2008024906.tif 000004
【図３】
2008024906.tif 000005
(57)【要約】【課題】  歯の再石灰化や骨の新陳代謝を促進させる効果に優れ、しかも合成化学物質を一切含有せず人体に悪影響のない歯磨き剤を提供する。【解決手段】  ヒドロキシアパタイト７１．０〜８５．０重量％と、ソルビトール９．８〜１９．６重量％と、所要量の塩化ナトリウム及び水とを含有し、発泡剤・界面活性剤・防腐剤・香味料等の合成化学物質からなる添加剤は一切混合しない。したがって、本発明によれば主成分がカルシウム中でも最も吸収力に優れているヒドロキシアパタイトであるから、歯の再石灰化や骨の新陳代謝を促進させる効果に優れる。また、ヒドロキシアパタイトとソルビトールとの組み合わせにより口あたりも良くなり、又、虫歯菌が嫌がるソルビトールの働きで虫歯になりにくいという作用を生じ、全て天然物質で構成されていながら従来技術の歯磨き剤と同等の効果を奏する。【選択図】なし【特許請求の範囲】
【請求項１】
ヒドロキシアパタイト７１．０〜８５．０重量％と、ソルビトール９．８〜１９．６重量％と、所要量の塩化ナトリウム及び水とを含有し、それ以外の成分を含有しないことを特徴とする、歯磨き剤。
【発明の詳細な説明】
【技術分野】
【０００１】
本発明は歯磨き剤に関し、詳しくはヒドロキシアパタイトを主成分として含有し、歯の再石灰化や骨の新陳代謝を促進できる歯磨き剤に関する。
【背景技術】
【０００２】
従来、ヒドロキシアパタイトを主成分とした歯磨き剤が特許文献１〜５に開示されている。特許文献１の技術は、ヒドロキシアパタイトと塩化ナトリウムとを含有することを特徴とし、特許文献２の技術は、ヒドロキシアパタイトとフラボノイド含有植物抽出油とを含有することを特徴とし、特許文献３の技術は、ヒドロキシアパタイトとアルミノケイ酸塩とを含有することを特徴とし、特許文献４の技術は、ヒドロキシアパタイトとキシリトールとを含有することを特徴とし、特許文献５の技術は、ヒドロキシアパタイトと可溶性フッ化物とポリエチレングリコール又はビタミンＥ誘導体とを含有することを特徴としている。
【０００３】
ところで、前記技術による歯磨き剤は、いずれも実施例において主成分の他に発泡剤・界面活性剤・防腐剤・香味料等の合成化学物質からなる添加剤が混合されており、人体への悪影響が懸念される。例えば、発泡剤や界面活性剤として使用されているラウリル硫酸ナトリウムは体内蓄積性が高く、肝臓や腎臓障害を起こすことがある。防腐剤として使用されているパラベンはアレルギー性湿疹を起こし易く、嘔吐や肝炎の原因となる。湿潤剤として使用されているポリエチレングリコールは肝臓や腎臓障害を起こすことがあり、発ガン促進作用がある。香味料として使用されているサッカリンナトリウムは染色体異常を起こすことがある。
【特許文献１】特開２０００−１１９１４９号公報
【特許文献２】特開平１１−２１７３２１号公報
【特許文献３】特開平９−２４１１３８号公報
【特許文献４】特開平９−１７５９６３号公報
【特許文献５】特開平８−５３３３１号公報
【発明の開示】
【発明が解決しようとする課題】
【０００４】
本発明が解決しようとする課題は、従来のこれらの問題点を解消し、歯の再石灰化や骨の新陳代謝を促進させる効果に優れ、しかも合成化学物質を一切含有せず人体に悪影響のない歯磨き剤を提供することにある。
【課題を解決するための手段】
【０００５】
かかる課題を解決した本発明の構成は、
１）  ヒドロキシアパタイト７１．０〜８５．０重量％と、ソルビトール９．８〜１９．６重量％と、所要量の塩化ナトリウム及び水とを含有し、それ以外の成分を含有しないことを特徴とする、歯磨き剤
にある。
【発明の効果】
【０００６】
本発明によれば、主成分がカルシウム中でも最も吸収力に優れているヒドロキシアパタイトであるから、歯の再石灰化や骨の新陳代謝を促進させる効果に優れる。また、ヒドロキシアパタイトとソルビトールとの組み合わせにより口あたりも良くなり、又、虫歯菌が嫌がるソルビトールの働きで虫歯になりにくいという作用を生じ、全て天然物質で構成されていながら従来技術の歯磨き剤と同等の効果を奏する。しかも合成化学物質を一切含有しないから人体への悪影響もない。
【発明を実施するための最良の形態】
【０００７】
本発明では、ヒドロキシアパタイトは７１．０〜８５．０重量％の範囲が望ましく、７１．０重量％以下ではやわらかく成りすぎて歯磨きとしての粘度が保てなくなるという問題があり、８５．０重量％以上では水分量が足りずにヒドロキシアパタイトが固まりやすくなるという問題がある。ソルビトールは９．８〜１９．６重量％の範囲が望ましく、９．８重量％以下では水分量が足りずにヒドロキシアパタイトが固まりやすくなるという問題があり、１９．６重量％以上ではやわらかく成りすぎて歯磨きとしての粘度が保てなくなるという問題がある。塩化ナトリウムは歯茎の引き締め効果や殺菌効果も含めて混合されるもので、１．０重量％が望ましい。また、従来技術で使用されていた発泡剤・界面活性剤・防腐剤・香味料等の合成化学物質からなる添加剤は一切混合しない。以下、本発明の実施例を具体的に説明する。
【実施例１】
【０００８】
本実施例の歯磨き剤の成分を以下の表１に示す。
【０００９】
【表１】
2008024632.tif 000002
【００１０】
本実施例の歯磨き剤を用いて対象者２４名（男性１０名、女性１４名）に歯磨きしてもらい、アンケートの結果を以下の表２にまとめた。男性１０名の年齢層は２０代が２名、４０代が３名、５０代以上が５名である。女性１４名の年齢層は２０代が５名、３０代が１名、４０代が５名、５０代以上が３名である。使用期間は１５〜２４０日間とした。
【００１１】
【表２】
2008024632.tif 000003
【００１２】
このように、本実施例の歯磨き剤は主成分がカルシウム中でも最も吸収力に優れているヒドロキシアパタイトであるから、歯の再石灰化や骨の新陳代謝を促進させる効果に優れる。また、ヒドロキシアパタイトとソルビトールとの組み合わせにより口あたりも良くなり、又、虫歯菌が嫌がるソルビトールの働きで虫歯になりにくいという作用を生じ、全て天然物質で構成されていながら従来技術の歯磨き剤と同等の効果を奏する。しかも合成化学物質を一切含有しないから人体への悪影響もない。
【産業上の利用可能性】
【００１３】
本発明の歯磨き剤は、歯の再石灰化や骨の新陳代謝を促進させる目的に利用される。
(57)【要約】【課題】従来の美容用マッサージ塩は水を含むために防腐剤等の化学合成物質を入れなければならなかった。また、塩の収斂効果を期待するために、性能のよい塩を選ばなければならなかった。【解決手段】塩の重量に対し、炭酸粉末を５重量パーセントから３０重量パーセント配合し、混ぜ合わせた美容用マッサージ塩を製造し、使用時には、同量の水で溶き、肌につける。塩・炭酸・有効成分物質（卵白、ローヤルゼリー等）すべての原材料を乾燥粉末で製造することによって、防腐剤等の化学合成物質を使わないマッサージ塩を製造でき、炭酸粉末を配合することで、炭酸の温泉効果が塩の収斂作用を補助し、従来のマッサージ塩より、効果のある美容用マッサージ塩を製造することができるものである。【特許請求の範囲】
【請求項１】
美容に用いる塩に、炭酸粉末（化粧品名称・炭酸水素ナトリウム、食品名称・重炭酸ナトリウム、酸性炭酸ナトリウム、局方・炭酸水素ナトリウム、局方・炭酸マグネシウム、局方・炭酸カルシウム）を５重量パーセントから３０重量パーセントを混ぜ合わせた美容用のマッサージ塩である。
【請求項２】
この美容用のマッサージ塩は、水を含まない乾燥した粉末状のものである。
【発明の詳細な説明】
【技術分野】
【０００１】  この発明は、美容用のマッサージ塩の機能性、安全性に関する。
【背景技術】
【０００２】  従来の美容用のマッサージ塩は、塩の収斂作用を期待したものであった。
また、マッサージ塩に美容効果を高めるために、卵白やローヤルゼリーやヒアルロン酸等を配合し、水分を持たせたものであった。従来のものは、水分を含んでいるために、防腐剤を使わなければならい。このことは、塩が天然のものであっても、防腐剤等の化学合成物質を含んでいるので美容用マッサージ塩そのものを天然・自然とは言えず、配合した塩を天然・自然と言わざるをえなかった。
また、美容用マッサージ塩は主に塩の収斂作用を期待し、マッサージ塩とされているが、塩のみの性能によるものでしかなかった。
【発明の開示】
【発明が解決しようとする課題】
【０００３】しかしながら、以上の技術によれば、従来の美容用マッサージ塩は、防腐剤等の化学合成物質を使用し、収斂作用に塩そのものの性質の良いものを選ばなければならなかった。
そこで、この発明は、塩に炭酸粉末を混ぜ合わせた、水を含まない美容用マッサージ塩を提供することを課題とする。
【課題を解決するための手段】
【０００４】  以上の課題を解決するために、第一発明は、塩の重量に対し、５重量パーセントから３０重量パーセントの炭酸粉末を混ぜ合わせたものである。
また、第二発明は、美容用マッサージ塩を構成する原材料はすべて乾燥粉末であるために防腐剤等の化学合成物質を使わないものである。
【発明の効果】
【０００５】  第一発明、または第二発明によれば、防腐剤等の化学合成物質を使用することはない。また、炭酸粉末を混合することで、炭酸の皮膚に対する温泉効果と塩そのものの収斂効果と期待できる美容用マッサージ塩を製造できる。
【発明を実施するための最良の形態】
【０００６】  この発明の一実施形態は、乾燥したマッサージ効果のある塩に炭酸粉末を５重量パーセントから３０重量パーセント配合し、混ぜ合わせ、さらに、皮膚の保湿効果に卵白、ローヤルゼリーを配合し、塩の収斂効果を高めるために、クエン酸を配合した、防腐剤等の化学合成物質を一切使わないマッサージ塩で、これは水を含まない粉末状の形態である。【０００７】「実施形態の効果」
この実施形態によれば、どう重量炭酸粉末を配合したマッサージ塩を同重量の水で軽く溶き、炭酸粉末の発泡を確かめてから、３人の女性Ａ・Ｂ・Ｃそれぞれに治験を行った。
その結果を下記の表に示す。
治験者            ウエスト          二の腕
Ａ・治験前      ６３Ｃｍ          ２０Ｃｍ
治験後      ６１．５Ｃｍ      １９Ｃｍ
Ｂ・治験前      ８４Ｃｍ          ２６Ｃｍ
治験後      ８２Ｃｍ          ２４．５Ｃｍ
Ｃ・治験前      ７２Ｃｍ          ２２．５Ｃｍ
治験後      ７１．５Ｃｍ      ２１．５Ｃｍ
(57)【要約】【課題】  陶器や磁器に携帯電話などの簡単な読み取り装置でも多量の情報を正確に読み取ることができる精細性の高いバーコードを絵付けする技術を提案することにある。【解決手段】  ２次元バーコードを絵付けした陶磁器であって、精細度が350ミクロン以下であり、全情報量が伝達可能の１文字数及び１シグナルや1マーク以上の情報量を有し、バーコードの数を１つ以上有していることを特徴とする陶磁器【選択図】      図１
2008024550.tif 000002
【特許請求の範囲】
【請求項１】
２次元バーコードを絵付けした陶磁器であって、精細度が350ミクロン以下であり、全情報量が伝達可能の１文字数及び１シグナルや1マーク以上の情報量を有し、バーコードの数を１つ以上有していることを特徴とする陶磁器。
【請求項２】
スキージーのウレタン弾圧度を８１〜８６度とし、絵の具の粒度を２００メッシュ以上、フリットを０．１重量％以上含有してなる絵の具からなる転写紙を２〜３０℃の水に５〜６０秒浸漬した後、絵付けし、次いで６００℃から１３００℃の間で焼成することを特徴とする２次元バーコード陶磁器の製造方法。
【発明の詳細な説明】
【技術分野】
【０００１】
本発明は陶磁器の絵付けに関し、詳しくは読み取り可能な精細な２次元バーコードを絵付けした陶磁器に関する。
【背景技術】
【０００２】
従来から陶器や磁器に絵付けすることは盛んに行われてきた。中にはかなり細かい絵付けできる技術も提案されていた。しかしながら、その精細さは図柄を精緻に表現することを目的としたものであり、極く単純な情報をタイルに絵付けする程度にとどまっていた（特許文献１）。他方、最近特に紙やプラスチックの上に情報を表現する手段としてバーコードが印刷されることが多くなり、更に単純なバーコードだけではなく２次元バーコードが使用されるに至っている。しかしながら、この提案も多くの情報量を必要とするものではないために付けられた絵の高度の精細性を要求されるものではなかった。
しかし、紙にバーコードを印刷はできても陶磁器に多量の情報を伝達する目的で精細な絵付けをする技術はなかった。
【０００３】
【特許文献１】特開２００２−１３１１４５号
【発明の開示】
【発明が解決しようとする課題】
【０００４】
陶器や磁器に携帯電話などの簡単な読み取り装置でも多量の情報を正確に読み取ることができる精細性の高いバーコードを絵付けする技術を提案することにある。
【課題を解決するための手段】
【０００５】
本発明の課題は２次元バーコードを絵付けした陶磁器であって、精細度が350ミクロン以下であり、全情報量が伝達可能の１文字数及び１シグナルや1マーク以上の情報量を有し、バーコードの数を１つ以上有していることを特徴とする陶磁器によって達成される。
【発明の効果】
【０００６】
本発明の陶器や磁器は携帯電話などの一般的に広く普及している身近な読み取り装置で読み取ることができることが大きな効果である。従来のように単に見て味わい、楽しむだけではなく情報の伝達手段として陶器や磁器を活用することができるのである。
本発明の陶器や磁器は色々な機会に使用することができる。例えば、旅先の喫茶店でコーヒーカップに本発明の２次元バーコードで情報を絵付けしておき、旅行者へ名所・旧跡の情報を提供することや若いカップル用には愛の言葉を伝達する方法なども有効な利用の一つである。
【発明を実施するための最良の形態】
【０００７】
焼き物に絵付けして情報を伝達する場合最も重要なことは情報が確実に読み取れることにある。より多くの情報を確実に読み取るにはバーコードの精細性が大変重要である。本発明で言う陶器や磁器の精細性とはバーコードの一部の直線部分を拡大して写真に撮り、凹凸の一方頂点部分を結ぶ直線を引き、他方、前記凹凸部の逆側の頂点部分を結ぶ直線を引く。前記２線からなる距離を測定する。凹凸の一方の端及び他方の端及びその中間点の距離を測定してその距離の平均距離を求める。その距離が本発明で言う精細性である。
確実に情報を読み取るには精細性が高いほど好ましいことは言うまでもない。精細性は350ミクロン以下であることが必要である。より多くの情報やより確実に情報を読み取るための精細性は１２０ミクロン以下、更に好ましくは１００ミクロン以下、特に好ましくは５０ミクロン以下である。
また、本発明で言うフリットとは珪砂、長石、石灰などの天然原料や工業原料を配合し
高温で溶融し、急冷したガラスの粉末である。  
【産業上の利用可能性】
【０００８】
本発明のバーコードを絵付けした陶磁器は一般的に使用されている家庭用の食器を始めとして外食用の各種食器などに広く使用することができる。特に喫茶店のコーヒーカップや皿として使用することで旅行者へ名所・旧跡の情報を提供することや若いカップル用には愛の言葉を伝達する方法等に情報の伝達と同時に遊び心の手段としても利用できる。
【図面の簡単な説明】
【０００９】
【図１】ＱＲバーコードを陶器に絵付けしたイメージ
【図２】３００メッシュの場合
【図３】１００メッシュの場合
【符号の説明】
【００１０】
１    陶器
２    ２次元バーコード
３    一方の直線
４    他方の直線  
【図１】
2008024550.tif 000003
【図２】
2008024550.tif 000004
【図３】
2008024550.tif 000005
(57)【要約】【課題】資源の再活用や効率的な梱包作業を目指す上で、ダンボール箱に使用するテープに折り返しがある方が便利です。しかし、現状では、折り返しの作成できるテープカッターはありません。あったとしても、安価で、使いやすく、尚且つ安全性の高いものでなくてはなりません。【解決手段】  従来カッターのテープ端部受けとほぼ同一位置に、針（ピン）状のテープ受けを設け、ハンドルで折り返すという方法を取ることにより、簡単で効果的に折り返しが可能となりました。安全カバーも設ける事で、安全性も高くなっています。シンプルな構造ですので、安価に提供でき、広く使用が可能です。【選択図】図１
2008024503.tif 000002
【特許請求の範囲】
【請求項１】
図１の、テープをカットする際に、図１Ｄのピンでテープを貫通保持するのが特徴の折り返し機能付きガムテープ用テープカッター。
【請求項２】
図１Ｄのピンで貫通保持したテープを、図１Ｅのハンドルを回転させる事により図１Ｅ’がＤを基点としてテープを折り返す機能を有した折り返し機能付きガムテープ用テープカッター。
【請求項３】
図１のＤに折り返されたテープを、安全かつより簡単に取り出す事を可能にした図１Ｆのテープ取り出しピンを有した折り返し機能付きガムテープ用テープカッター。
【請求項４】
図１の、テープをカットする際に、テープを貫通保持し、又折り返しの基点となる図１Ｄのピンをより安全に使用するための安全カバーＧを有した折り返し機能付きガムテープ用テープカッター。
【発明の詳細な説明】
【技術分野】
【０００１】ガムテープ等の幅広テープ用で、端部の折り返しができるハンドタイプのテープカッターです。
【背景技術】従来品のガムテープ等のテープカッターは、下記形態及び機能ですが、折り返し機能はありませんでした。
従来品の形態及び機能
本体上部の前方に、下向きにのこぎり刃状のカッターが付き、本体中央にテープをセットする芯を有したハンドタイプです。
テープは接着面を下向きにセットし、テープのカットは非接着面から行う。
テープのカットは、カットしようとする箇所に来たら、本体後方を持ち上げて、刃を立ててカットする。
カットした本体のテープの端部は、テープ本体に戻って張り付かないようにテープ受けに保持される。（次に使用する時、テープの端部を取りやすいようになっている。）テープ受けは、接着面の下側にあり、貼り付き過ぎないようテープの両サイドだけ保持するようになっている。
【発明の開示】
【発明が解決しようとする課題】
【０００２】梱包されたダンボール箱に貼りついたテープは端部まで貼りついていて、剥がすのに面倒でした。しかし、その為に端部を作成するのも、現状のテープカッターでは面倒でした。
構造的には、端部を作成する折り返しの基点となるものがありませんし、現状のテープ受けのような形態のものでは、テープが張り付きすぎて折り返しの基点になりません。
針状のものを基点にするのも、そのままでは安全面で心配がありますし折り返すのも結構面倒です。
また、広く使用してもらう為には、安価なテープカッターでなければならず、その為にはシンプルな構造の必要があります。
【課題を解決するための手段】
【０００３】従来カッターのテープ端部受けとほぼ同一位置に、針（ピン）状のテープ受けを設けます。テープ端部受けであると同時におり返しの基点になります。
針（ピン）が剥き出しのままだと安全性に問題がありますので、針（ピン）の両サイドに安全カバーをたてます。
折り返しが簡単なように、折り返しハンドルを付けます。
折り返したテープ端部を安全、簡単に取れるようにテープ取り出しピンを取り付けました。
【発明を実施する為の最良の形態】
【０００４】図１の本体図１において、Ａはメインフレームです。アは仮想テープです。
図２のアはバネです。イ，ウは素通しです。
テープは、接着面を下にしてセットします。
【０００５】図１のＢはテープセット部です。テープが抜け落ちないよう、Ｈの止め金具を装着します。
【０００６】図１のＣは、カッター刃です。アからのテープを▲１▼ような角度にしてカットします。両サイドは、カバーになっていて、横からの安全面に対処しています。
【０００７】図１のＤは、テープ保持ピンです。上記６でテープをカットした時、テープは▲２▼の方向に引っ張られ、ピンＤはテープをエの位置で保持します。
テープ保持ピンは、同時にテープ折り返しの基点になります。
【０００８】図１のＥは、折り返しハンドルです。図３に示すように、ハンドルの手元をＡからＡ’に動かすと、ハンドルの先端ＢはＢ’へ移動、その際テープＣをＣ’へ折り返します。
【０００９】図１のＦはテープ取り出しピンです。上記００８で折り返されたテープは、片側が針（ピン）状のテープ受けに刺さったままになっています。折り返されたところをつまみ取る事はもちろん可能ですが、図４に示すように、テープ取り出しピンをＡからＡ’に移動させることにより、より安全に、より簡単にテープの取り出しができます。
図４のＢは戻しバネです。
【００１０】図１のＧは、安全カバーです。テープ保持用のピンが、手や指に刺さらないようにしています。
【発明の効果】
ガムテープ、クラフトテープ等の幅広テープに対応した折り返し機能のついたテープカッターは、ありませんでした。折り返し機能のあるテープカッターが身近にあることにより、折り返しのあるテープによる梱包が増え、梱包の開放が楽になり、資源ごみとしてダンボールを出す時に、テープはがしが楽になります。
テープ保持ピンによるテープ保持により、折り返しの基点ができて折り返しが可能となりました。
折り返しハンドルにより、折り返しが楽になりました。
テープ取り出しピンにより、テープの取り出しが楽になりました。
【図面の簡単な説明】
【００１１】
【図１】  本体図１  折り返し機能付きガムテープ用テープカッターの全体図です。
【図２】  本体図２  折り返し機能付きガムテープ用テープカッターの真横から見た図です。
【図３】  ハンドル動作図  折り返し機能付きガムテープ用テープカッターのテープの折り返し方法を図解説明したものです。
【図４】  テープ取出し図  折り返し機能付きガムテープ用テープカッターのテープ取り出しピンによるテープの取り出しを図解説明したものです。
【図１】
2008024503.tif 000003
【図２】
2008024503.tif 000004
【図３】
2008024503.tif 000005
【図４】
2008024503.tif 000006
(57)【要約】【課題】  コード類の長さ調節を補助する器具を提供する。【解決手段】  任意のコードを通すことが出来るスリット（４）を持つ、両端が開放しているパイプ（１）と、前記パイプ（１）の両端に着脱可能に取り付けられ、前記スリット（４）と同形状の切り欠き（５ａ）を持つ円筒形のキャップ（２）と、任意の内径に寸法を調整できる少なくとも１つのストッパー（４）から構成されることを特徴とする。【選択図】図１
2008024502.tif 000002
【特許請求の範囲】
【請求項１】
任意のコードを通すことが出来るスリット（４）を持つ、両端が開放しているパイプ（１）と、前記パイプ（１）の両端に着脱可能に取り付けられ、前記スリット（４）と同形状の切り欠き（５ａ）を持つ円筒形のキャップ（２）と、任意の内径に寸法を調整できる少なくとも１つのストッパー（４）から構成されることを特徴とするコード長さ調整器具。
【請求項２】
前記パイプ（１）の両端のスリットと重ならない位置に、前記キャップの内面形状に嵌合する突起を有することを特徴とする請求項１記載のコード長さ調整器具。
【発明の詳細な説明】
【技術分野】
【０００１】  この発明は、電化製品などのコードの長さを調整する器具である。
【背景技術】
【０００２】  従来、電化製品等のコードの長さを調整するには、結束帯、輪ゴム、ビニールテープ等を利用していた。
【発明が解決しようとする課題】
【０００３】  これは次のような問題があった。
（イ）長さ調整後の形状が歪になりがちで、他のコードに引っ掛かったり絡まったりし、後々メンテナンス時の作業効率低下の原因になっていた。
（ロ）再度長さ調節をする場合、結束帯を切る、輪ゴムを解き最初から巻きなおす、ビニールテープを剥し再度巻きなおす等の多大な手間を必要とした。
（ハ）従来の結束方法では見た目にも悪く、人目に触れるような場所では非常にみっともない状態であった。
本発明はこれらの欠点を除くためになされたものである。
【課題を解決するための手段】
【０００４】任意のコードを通すことが出来るスリット（４）を持つ、両端が開放しているパイプ（１）と、前記パイプ（１）の両端に着脱可能に取り付けられ、前記スリット（４）と同形状の切り欠き（５ａ）を持つ円筒形のキャップ（２）と、任意の内径に寸法を調整できるストッパー（４）から構成されたコード長さ調整器具である。
【発明の効果】
【０００５】本発明により、以下の効果を発揮する。
（イ）コードの前部及び後部を任意の長さに残すことが可能であるため、配線類のレイアウトが組み立てやすくなる。
（ロ）凹凸が少なく、一直線状の形状になるため、周辺の物に引っ掛かったり絡まったりするリスクが軽減され、再レイアウト時の作業効率があがる。
（ハ）コードの長さの再調整が簡単に行え、効率的である。
（ニ）コードの長さ調整後も機能的でスッキリとした外観を維持でき、人目に付く箇所での使用でも、従来の雑然とした印象を与えない。
（ホ）コードの太さ、長さによって、パイプ（１）等の太さ長さを変える事により、あらゆる種類のコードに使用出来る。
【発明を実施するための最良の形態】
【０００６】  以下、本発明の実施の形態を説明する。
（イ）意のコードを通すことが出来るスリット（４）を持ち、両端のスリットと重ならない位置にキャップ（２）の内面形状に嵌合する突起を有する両端が開放しているパイプ（１）に、摺動自在で切り欠き（５ｂ）を有するリング状のストッパー（４）をパイプ両端付近に設ける
（ロ）前記パイプ（１）の両端に前記スリット（４）と同形状の切り欠き（５ａ）を持つ円筒形のキャップ（２）を設ける。以上の構成よりなるコード長さ調整器具である。
本発明を使用する場合、
（ハ）パイプ（１）・前部のキャップ（２）のスリット（４）及び切り欠き（５ａ、５ｂ）を合わせ、長さ調節の目的であるコードを任意の箇所で中に入れる。
（ニ）キャップ（２）及び前方のストッパー（３）を回転させ、切り欠き（５ａ、５ｂ）とスリット（４）の位置をずらした後、スリット（４）からコードを出し、パイプ（１）に隙間なく整然と巻きつけていく。
（ホ）任意の残り長さまで巻きつけた後、コードをスリット（４）からパイプ（１）の中に入れ、その部分をストッパー（３）で押さえ固定する。
（ヘ）後部のキャップ（２）の切り欠き（５ａ、５ｂ）にコードを通した後、切り欠き（５ａ、５ｂ）とスリット（４）の位置をずらす。
本発明は以上のような方法でコードの長さを調整し、コードを収納する。
【図面の簡単な説明】
【０００７】
【図１】  本発明の斜視図である。
【図２】  本発明の分解斜視図である。
【図３】  請求項２を説明する本発明品の分解斜視図である。
【図４】  本発明の実施例を示す図である。
【符号の説明】
【０００８】  １          パイプ
２          キャップ
３          ストッパー
４          スリット
５ａ、５ｂ  切り欠き
６          突起
【図１】
2008024502.tif 000003
【図２】
2008024502.tif 000004
【図３】
2008024502.tif 000005
【図４】
2008024502.tif 000006
(57)【要約】【目的】自転車サドルに付着したほこりや雨水などを自転車サドル空洞部に収納される装置で拭き落とす。【構成】円盤状プラスチック製のケースの両面にそれぞれ毛状のものと吸水性に優れる素材を覆わせ、ケースの内部に自動巻きメジャーの自動巻き機能を有する作動装置を内蔵させ、ケース円弧部に伸び出る自動巻きテープの先端に取り付けた金具を介しシートポストに固定することによりサドル空洞部に収納される内蔵式自転車サドル拭き装置。【選択図】図1
2008024153.tif 000002
【特許請求の範囲】
【請求項１】
円盤状プラスチック製のケースの片面に獣毛または毛状の合成樹脂などを植え込み、片面に吸水性の優れる綿または海綿などの素材を取り付け、ケースの内部に自動巻きメジャーの自動巻き機能を有する作動装置を内蔵させ、ケース円弧部に伸び出る自動巻きテープの先端を自転車サドル周辺の部材に固定し、常時では同装置は自転車サドル空洞部に収納され、自転車サドルに付着したほこりや雨水などを拭き落とす際に手で同装置を引っ張り出し、拭き落とした後手を離せば自動巻き機能の作動により自動的に自転車サドル空洞部に戻される内蔵式自転車サドル拭き装置。
【発明の詳細な説明】
【技術分野】
【０００１】
本発明は、自転車サドルに付着したほこりや雨水などを拭き落とすためのものである。
【背景技術】
【０００２】
路上に駐輪される自転車のサドルにほこりが付いた際または雨水に濡れた場合、紙またはタオルで拭き取ったり手で払いのけたりしてから乗るのが普通である。本発明の内蔵式自転車サドル拭き装置は常時自転車サドル空洞部に収納され、使用する際に手で引っ張り出し装置の両面を使い分け、ほこりなら獣毛または毛状の合成樹脂などを植え込まれた面を用いて拭き落とし、雨水なら綿または海綿などの素材を取り付けられた面を用いて拭き取る。また拭き取った後手を離せば装置は自動的にサドル空洞部に戻り、収納されることになる。
【発明の開示】
【発明が解決しようとする課題】
【０００３】
紙またはタオルの用意と拭き取った後の処理が面倒で、手で払いのけるのは手を汚すことになるなど、雨で濡れたまたはほこりで汚された自転車サドルを手軽に掃除する手段はないのが現状である。
【課題を解決するための手段】
【０００４】
上記の問題を解決するための手段として、本発明では、円盤状プラスチック製のケースの両面にそれぞれほこりを拭き落とすための毛状のものと雨水を拭き取るための吸水性に優れる素材を取り付け、ケースの内部に自動巻きメジャーの自動巻き機能を有する作動装置を内蔵させ、ケース円弧部に伸び出る自動巻きテープの先端を自転車サドル周辺の部材に固定させる。同装置を使用しない時は自転車サドル空洞部に収納され、自転車サドルに付着したほこりや雨水などを拭き落とす際に手で同装置を引っ張り出し、拭き落とした後手を離せば自動巻き機能の作動により自動的に自転車サドル空洞部に戻り、収納されることになる。
【発明の効果】
【０００５】
本発明は、以下に記載されるような効果を奏する。
シートポストに固定される同装置ケースの両面にそれぞれほこりと雨水を拭き落とす素材を取り付けており、サドルに付着したほこりまたは雨水を拭き落とす場合、同装置をサドル空洞部より手軽に必要な位置まで引っ張り出せば掃除は可能。掃除終了後手を離せば同装置はケース内に内蔵された自動巻き装置の作動により自動的にサドル空洞部に戻され、収納されることになる。長期間の使用で装置が汚れた場合、シートポストに取り付けた自動巻きテープ先端の金具を外し、装置をサドル空洞部より外へ取り外し、汚れた両面を洗濯し、再度取り付ければ使い続ける。
【発明を実施するための最良の形態】
【０００６】
上記のように、自転車サドルに付着したほこりや雨水などを拭き落とす際、手で同装置を引っ張り出し、装置の両面を使い分け、拭き落とした後手を離せば自動巻き機能の作動により装置が自動的に自転車サドル空洞部に戻り、収納されることになる。
【実施例】
【０００７】
実施例について図面を参照して説明すると、図１において、自動巻き装置を内蔵させたプラスチック製の円盤状ケースの両面にそれぞれ毛状のものと吸水性に優れる素材を覆わせている。ケース円弧部に伸び出る自動巻きテープの先端に取り付けた金具を介してシートポスト（フレームに差し込まれ、その上部にサドルを固定するパイプ状のもの）に固定する。同装置を使用しない時は自転車サドル空洞部に収納され、自転車サドルに付着したほこりや雨水などを拭き落とす際に手で同装置を引っ張り出し、拭き落とした後手を離せば自動巻き機能の作動により自動的に自転車サドル空洞部に戻り、収納されることになる。
【図面の簡単な説明】
【０００８】
【図１】自転車サドル拭き装置の立体図である。
【符号の説明】
【０００９】
1    円盤状プラスチック製のケース
2    ケースの片面に獣毛または毛状の合成樹脂など
3    ケースの片面に吸水性の優れる綿または海綿などの素材
4    ケースに内蔵された自動巻きメジャーの自動巻き機能を有する作動装置の伸び出る自動巻きテープ
5    シートポストに固定するために自動巻きテープ先端に取り付けた金具
【図１】
2008024153.tif 000003